(57)【要約】【課題】短い移動行程でサイドカバーを組付けることができる電気接続箱を提供する。【解決手段】電気接続箱１は箱本体２とサイドカバー３を備えている。箱本体２は箱状に形成されている。箱本体２の外壁８ａには凹み９が設けられている。箱本体２の外壁８ａには第１係合受け部１０と第２係合受け部１１とが設けられている。第１係合受け部１０と第２係合受け部１１とはサイドカバー３の箱本体２への取り付け方向Ｔに沿って互いに間隔をあけて配置されている。サイドカバー３には第１係合部２０と第２係合部２１とが設けられている。第１係合部２０と第２係合部２１とは取り付け方向Ｔに沿って互いに間隔をあけて配置されている。第１係合部２０が第１係合受け部１０に係合し第２係合部２１が第２係合受け部１１に係合して凹み９を塞いだ格好でサイドカバー３が箱本体２に取り付けられる。【選択図】図３
2007312494.tif 000002
【特許請求の範囲】
【請求項１】
外壁に直線状に延びた凹みが設けられた箱本体と、
前記凹みの長手方向に沿ってスライドされることで、前記箱本体に取り付けられるとともに、該箱本体に取り付けられると前記凹みを塞ぐサイドカバーと、を備えた電気接続箱において、
前記サイドカバーの前記スライド方向に沿って、互いに間隔をあけて前記サイドカバーに配置されているとともに、該サイドカバーのスライド方向を案内する第１係合部及び第２係合部と、
前記箱本体に設けられかつ前記第１係合部が係合する第１係合受け部と、
前記箱本体に設けられかつ前記第２係合部が係合する第２係合受け部と、
を備えたことを特徴とする電気接続箱。
【請求項２】
前記第１係合部が、前記サイドカバーから該サイドカバーの外方向に突出して形成されているとともに、
前記第２係合部が、前記サイドカバーから該サイドカバーの外方向に突出して形成されていることを特徴とする請求項１記載の電気接続箱。
【請求項３】
前記第１係合部及び前記第１係合受け部と、前記第２係合部及び前記第２係合受け部と、のうち少なくとも一方に、互いに係止する係止突起が設けられていることを特徴とする請求項１又は請求項２記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
特許文献１に示された電気接続箱は、外郭を形成する箱本体と、配線盤と、サイドカバーなどを備えている。箱本体には、ヒューズやリレーなどの電気部品が装着される。また、箱本体には、ワイヤハーネスのコネクタなどが嵌合する。また、箱本体の外壁には、前述したワイヤハーネスの電線などを通す直線状の凹みが設けられている。凹みの互いに相対する内面には、前述した凹みの長手方向に沿って、該凹みの全長に亘って延在した溝が設けられている。
【０００６】
配線盤は、箱本体内に収容されており、前述したヒューズやリレーなどの電気部品と、ワイヤハーネスのコネクタの端子とを予め定められたパターンにしたがって、互いに電気的に接続する。
【０００７】
サイドカバーは、その平面形状が略矩形の板状に形成されている。サイドカバーは、その幅方向の両縁が前述した溝内に通されて、前述した凹みの長手方向に沿ってスライドされることで、箱本体に取り付けられる。サイドカバーは、箱本体に取り付けられると、凹みを塞いで、前述したワイヤハーネスの電線を保護する。また、サイドカバーと箱本体とには、凹みをサイドカバーが完全に塞いだ状態で、互いに係止する係止部が設けられている。
【特許文献１】特開２００４−６４８８１号公報
【発明の開示】
【発明が解決しようとする課題】
【０００８】
前述した特許文献１に示された電気接続箱は、サイドカバーを箱本体に取り付ける際に、該箱本体の外壁の高さ分（凹みの長手方向の寸法分）、該サイドカバーを箱本体に対してスライドさせる必要があった。そのために、箱本体に取り付ける際に、サイドカバーを移動させる距離（ストローク）が長くなる傾向であった。このため、サイドカバーを箱本体に取り付ける際に作業性が低下する傾向であった。
【０００９】
したがって、本発明の目的は、短い移動行程で容易にサイドカバーを組付けることができる電気接続箱を提供することにある。
【課題を解決するための手段】
【００１０】
前記課題を解決し目的を達成するために、請求項１に記載の本発明の電気接続箱は、外壁に直線状に延びた凹みが設けられた箱本体と、前記凹みの長手方向に沿ってスライドされることで、前記箱本体に取り付けられるとともに、該箱本体に取り付けられると前記凹みを塞ぐサイドカバーと、を備えた電気接続箱において、前記サイドカバーの前記スライド方向に沿って、互いに間隔をあけて前記サイドカバーに配置されているとともに、該サイドカバーのスライド方向を案内する第１係合部及び第２係合部と、前記箱本体に設けられかつ前記第１係合部が係合する第１係合受け部と、前記箱本体に設けられかつ前記第２係合部が係合する第２係合受け部と、を備えたことを特徴としている。
【００１１】
請求項２に記載の本発明の電気接続箱は、請求項１記載の電気接続箱において、前記第１係合部が、前記サイドカバーから該サイドカバーの外方向に突出して形成されているとともに、前記第２係合部が、前記サイドカバーから該サイドカバーの外方向に突出して形成されていることを特徴としている。
【００１２】
請求項３に記載の本発明の電気接続箱は、請求項１又は請求項２記載の電気接続箱において、前記第１係合部及び前記第１係合受け部と、前記第２係合部及び前記第２係合受け部と、のうち少なくとも一方に、互いに係止する係止突起が設けられていることを特徴としている。
【００１３】
請求項１に記載した本発明の電気接続箱によれば、サイドカバーのスライド方向の両端部に互いに間隔をあけて第１係合部と第２係合部とを設けて、箱本体に第１係合部と第２係合部各々と係合する第１係合受け部と第２係合受け部を設けている。このため、一方の係合部を第１係合受け部と第２係合受け部との間に位置した状態から対応する係合部を係合受け部に係合させることができる程度、サイドカバーを箱本体にスライドさせることで該箱本体に取り付けることができる。
【００１４】
また、係合部がサイドカバーの前述したスライド方向の両端部に設けられているので、箱本体に取り付けられたサイドカバーを該箱本体に安定して保持することができる。
【００１５】
請求項２に記載した本発明の電気接続箱によれば、第１及び第２係合部がサイドカバーの縁から突出しているので、該サイドカバーを確実にスライドさせて箱本体に取り付けることができる。
【００１６】
請求項３に記載した本発明の電気接続箱によれば、第１係合部及び第１係合受け部と、第２係合部及び第２係合受け部との少なくとも一方に互いに係止する係止突起が設けられているので、箱本体に取り付けられたサイドカバーを該箱本体に確実に安定して保持することができる。
【発明の効果】
【００１７】
以上説明したように請求項１に記載の本発明は、一方の係合部を第１係合受け部と第２係合受け部との間に位置した状態から対応する係合部を係合受け部に係合させることができる程度、サイドカバーを箱本体にスライドさせることで該箱本体に取り付けることができる。このため、サイドカバーを取り付ける際に、サイドカバーを移動させる距離（ストローク）が短くなって作業性が向上して、サイドカバーを容易に組付けることができる。したがって、本発明の電気接続箱は、サイドカバーを短い移動行程で容易に組付けることができる。
【００１８】
また、箱本体に取り付けられたサイドカバーを該箱本体に安定して保持することができるので、箱本体に対してサイドカバーが振動することを防止でき、異音が発生することを防止できる。
【００１９】
請求項２に記載の本発明は、サイドカバーを確実にスライドさせて箱本体に取り付けることができるので、より容易にサイドカバーを箱本体に取り付けることができる。
【００２０】
請求項３に記載の本発明は、箱本体に取り付けられたサイドカバーを該箱本体に確実に安定して保持することができるので、箱本体に対してサイドカバーが振動することを防止でき、異音が発生することを防止できる。
【発明を実施するための最良の形態】
【００２１】
以下、本発明の一実施形態にかかる電気接続箱を、図１ないし図４に基づいて説明する。本実施形態にかかる図１に示す電気接続箱１は、移動体としての自動車に搭載される。電気接続箱１は、図１乃至図４に示すように、箱本体２と、図示しないカセットブロックと、連結部としての連結梁４と、連結部としての連結壁５と、サイドカバー３とを備えている。
【００２２】
箱本体２は、絶縁性の合成樹脂からなり、周知の射出成形により成形される。箱本体２は、図１及び図４に示すように、本体部６と、複数の隔壁７とを備えている。本体部６は、互いに端が連なる複数の外壁８により枠状（箱状）に形成されている。隔壁７は、本体部６を構成する外壁８の内面に連なっており、該本体部６内の空間を多数の空間に仕切っている。隔壁７は、外壁８の両表面に沿って延在しており、本体部６内に格子状に配置されている。隔壁７及び外壁８間の空間は、図１及び図４中の上下に位置する両端が開口している。
【００２３】
さらに、箱本体２の本体部６には、図１、図２及び図４に示すように、一つの外壁８（以下、符号８ａで示す）の表面から凹の凹み９が設けられている。凹み９は、前述した外壁８及び隔壁７などで囲まれた空間の開口部同士が互いに相対する方向（即ち、カセットブロックが前述した空間内に挿入される方向）に沿って、直線状に延びている。
【００２４】
凹み９は、カセットブロックの表面（カセットブロックが前述した空間内への挿入方向の後端に位置する面）に取り付けられるワイヤハーネスを内側に通す。
【００２５】
また、前述した箱本体２の本体部６の外壁８ａには、第１係合受け部１０と、第２係合受け部１１とが設けられている。即ち、電気接続箱１は、第１係合受け部１０と、第２係合受け部１１とを備えている。
【００２６】
第１係合受け部１０は、外壁８の凹み９の長手方向の中央に設けられている。第１係合受け部１０は、一対の係合受け片１３を備えている。一対の係合受け片１３は、互いの間に凹み９を位置付ける位置に設けられている。係合受け片１３は、図３に示すように、外壁８ａより箱本体２の外側に向かって立設した立設部１４と、該立設部１４の外壁８ａから離れた側の先端から凹み９の長手方向に沿ってサイドカバー３の凹み９への取り付け方向Ｔ（図４中に矢印で示し、特許請求の範囲のスライド方向に相当する）の後方に向かって延在した延在部１５と、一対のリブ１６とを備えている。
【００２７】
延在部１５の前述した取り付け方向Ｔの後方側の端には、図３に示すように、係止突起１７が設けられている。係止突起１７は、延在部１５の端から外壁８ａに対して直交する方向に沿って箱本体２の外側に向かって凸に形成されている。係止突起１７の取り付け方向Ｔの後方側には、テーパ面１７ａが設けられている。テーパ面１７ａは、前述した取り付け方向Ｔの後方に向かうにしたがって係止突起１７を徐々に薄肉にする方向に該取り付け方向Ｔに対して傾斜している。リブ１６は、外壁８から立設した壁状に形成されており、立設部１４と延在部１５と係止突起１７の幅方向の端に連なっている。リブ１６は、互いの間に立設部１４と延在部１５と係止突起１７を位置付けている。リブ１６は、係合受け片１３の機械的な強度を向上させている。
【００２８】
前述した第１係合受け部１０の係合受け片１３は、それぞれ、サイドカバー３に設けられた後述する第１係合部２０の係合用筒２２と係合する。即ち、第１係合受け部１０は、サイドカバー３に設けられた第１係合部２０と係合する。
【００２９】
第２係合受け部１１は、外壁８ａの凹み９の長手方向の前述した取り付け方向Ｔの後方側の端部に設けられている。第２係合受け部１１は、一対の係合溝１８を備えている。係合溝１８は、凹み９の該凹み９の長手方向に対して直交する方向に沿って互いに相対する内面９ａに設けられている。係合溝１８は、内面９ａの前述した取り付け方向Ｔの後方側の端から該取り付け方向の前方に向かって延在している。また、係合溝１８の前述した取り付け方向Ｔの後方側の端部には、係合溝１８を互いの間に形成する一対の壁のうちの外側の壁を切り欠いて、箱本体２の外側と連通した開口部１９が設けられている。
【００３０】
前述した第２係合受け部１１の係合溝１８は、それぞれ、サイドカバー３に設けられた第２係合部２１の係合板２４が内側に侵入して該係合板２４と係合する。即ち、第２係合受け部１１は、サイドカバー３に設けられた第２係合部２１と係合する。
【００３１】
カセットブロックは、複数設けられている。カセットブロックは、各々、前述した隔壁７及び外壁８で囲まれる空間内に収容可能な大きさの箱状に形成されている。カセットブロックは、前述した空間の図１、図２及び図４中の下方側の開口を通して、これらの空間内に挿入する。
【００３２】
カセットブロックは、ワイヤハーネスの電線の端末に取り付けられた端子金具を収容する。カセットブロックの前述した空間内への挿入方向の後端に位置する一方の表面には、図示しないリレー、ヒューズやヒュージブルリンクなどの電気部品が装着される。端子金具は、前述したリレー、ヒューズやヒュージブルリンクなどの電気部品と接続する。即ち、端子金具は、前述した電線と電気部品とを互いに電気的に接続する。さらに、一部のカセットブロックには、前述した表面にワイヤハーネスの電線の端末が取り付けられる。
【００３３】
連結梁４は、図示例では、一つ設けられている。連結梁４は、梁状に形成されている。連結梁４は、互いに平行でかつ間隔をあけて相対して互いの間に前述したカセットブロックを位置付ける一対の隔壁７のカセットブロックの空間への挿入方向の後方に位置する端同士を連結している。
【００３４】
連結壁５は、図示例では、一つ設けられている。連結壁５は、平板状に形成されている。連結壁５は、互いに平行でかつ間隔をあけて相対して互いの間に前述したカセットブロックを位置付ける一対の隔壁７のカセットブロックの空間への挿入方向の後方に位置する端に連なっている。連結壁５の両表面は、隔壁７の両表面と交差（図示例では、直交）している。このように、連結壁５は、互いに隣り合う隔壁７の端７ａ同士を連結して、両表面が隔壁７の両表面と交差した平板状に形成されている。
【００３５】
また、連結壁５には、複数の開口窓１２が設けられている。開口窓１２は、連結壁５を貫通した孔である。複数の開口窓１２は、連結壁５の長手方向に沿って、互いに間隔をあけて配置されている。開口窓１２は、内側にカセットブロックに取り付けられる電気部品の端子などが通ることを許容して、該端子即ち電気部品がカセットブロックに取り付けられることを許容する。
【００３６】
サイドカバー３は、絶縁性の合成樹脂で構成され、周知の射出成形により成形される。サイドカバー３は、図１、図２及び図４に示すように、平面形状が矩形状に形成されて、凹み９を塞ぐことが可能な大きさに形成されている。サイドカバー３は、凹み９の長手方向に沿う前述した取り付け方向Ｔに沿ってスライドされることで、箱本体２に取り付けられるとともに、該箱本体２に取り付けられると凹み９を塞ぐ。
【００３７】
サイドカバー３の長手方向即ち取り付け方向Ｔの中央部には、第１係合部２０が設けられ、かつサイドカバー３の長手方向即ち取り付け方向Ｔの後方に位置する端部には、第２係合部２１が設けられている。即ち、電気接続箱１は、前述した取り付け方向に沿って互いに間隔をあけて配置された第１係合部２０及び第２係合部２１を備えている。
【００３８】
第１係合部２０は、一対の係合用筒２２を備えている。係合用筒２２は、サイドカバー３の幅方向の両縁に取り付けられている。即ち、第１係合部２０の係合用筒２２は、サイドカバー３の幅方向の縁から該サイドカバー３の外方向に突出して形成されている。係合用筒２２の長手方向は、サイドカバー３の長手方向即ち取り付け方向Ｔと平行である。係合用筒２２の内面には、係合受け片１３の係止突起１７と係止する係止突起２３が設けられている。係止突起２３は、係合用筒２２の内面から凸に形成されている。係止突起２３には、前述した取り付け方向Ｔの前方に向かうにしたがって該係止突起２３を徐々に薄くするテーパ面２３ａが形成されている。
【００３９】
第１係合部２０は、取り付け方向Ｔと平行な係合用筒２２内に係合受け片１３の延在部１５が侵入可能である。第１係合部２０は、取り付け方向Ｔと平行な係合用筒２２内に係合受け片１３の延在部１５が侵入することで、サイドカバー３がスライドする方向を前述した取り付け方向Ｔ即ち凹み９及びサイドカバー３の長手方向に案内する。また、第１係合部２０は、係止突起２３が係止突起１７と係止することで、第１係合受け部１０と係合する。
【００４０】
第２係合部２１は、一対の係合板２４を備えている。係合板２４は、サイドカバー３の幅方向の両縁から該サイドカバー３の幅方向に沿って突出している。即ち、第２係合部２１の係合板２４は、サイドカバー３の幅方向の縁から該サイドカバー３の外方向に突出して形成されている。係合板２４は、それぞれ、板状に形成されて、その両表面がサイドカバー３の両表面と平行に配置されている。即ち、係合板２４の長手方向は、サイドカバー３の長手方向即ち前述した取り付け方向Ｔと平行である。
【００４１】
第２係合部２１は、取り付け方向Ｔと平行な係合板２４が係合溝１８内に侵入可能である。第２係合部２１は、取り付け方向Ｔと平行な係合板２４が係合溝１８内に侵入することで、サイドカバー３がスライドする方向を前述した取り付け方向Ｔ即ち凹み９及びサイドカバー３の長手方向に案内する。また、第２係合部２１は、係合板２４が係合溝１８内に挿入されることで、第２係合受け部１１と係合する。
【００４２】
前述したサイドカバー３は、係合用筒２２内に係合受け片１３の延在部１５が侵入し、係合板２４が係合溝１８内に侵入することで、取り付け方向Ｔに沿ってスライドして、箱本体２に取り付けられる。また、サイドカバー３は、箱本体２に取り付けられると、前述した凹み９の外壁８ａにおける開口を塞ぐ。こうして、サイドカバー３は、箱本体２に取り付けられると、前述した凹み９を塞ぐ。また、サイドカバー３は、箱本体２に取り付けられると、前述した凹み９の箱本体２の上面及び下面側の開口を塞がない（開放する）。
【００４３】
前述した構成の電気接続箱１は、以下のように組み立てられる。まず、各端子金具に電線が取り付けられる。そして、端子金具は、前述した開口を通してカセットブロック内に挿入される。その後、カセットブロックが前述した空間内に挿入されて、該カセットブロックが箱本体２に取り付けられる。その後、各カセットブロックにリレー、ヒューズ、ヒュージブルリンクなどの所望の電気部品が装着される。また、凹み９内にワイヤハーネスが通されて、該ワイヤハーネスの端末がカセットブロックの表面に取り付けられる。
【００４４】
そして、係合用筒２２内に係合受け片１３の延在部１５を挿入し、係合板２４を係合溝１８内に挿入して、サイドカバー３を取り付け方向Ｔに沿ってスライドさせる。係合用筒２２の内面に設けられた係止突起１７と、係合受け片１３の延在部１５に設けられた係止突起１７とが互いに係止して、サイドカバー３が箱本体２に固定される。すると、サイドカバー３は凹み９を塞ぐ。こうして、前述した構成の電気接続箱１が組み立てられる。
【００４５】
電気接続箱１は、図示しない防水ケース内に収容されて、自動車の車体を構成するパネルなどに固定される。前述したワイヤハーネスの電線は、自動車などに搭載される多種多様な電子機器と接続される。こうして、電気接続箱１は、前述した自動車などに搭載されて、この自動車に搭載される多種多様な電子機器と、前述した各種の電気部品とを予め定められるパターンにしたがって電気的に接続する。
【００４６】
本実施形態によれば、サイドカバー３の取り付け方向Ｔに沿って互いに間隔をあけて第１係合部２０と第２係合部２１とを設けて、箱本体２に第１係合部２０と第２係合部２１各々と係合する第１係合受け部１０と第２係合受け部１１を設けている。このため、第１係合部２０を第１係合受け部１０と第２係合受け部１１との間に位置した状態から対応する係合部１０，１１を係合受け部２０，２１に係合させることができる程度、サイドカバー３を箱本体２にスライドさせることで該箱本体２に取り付けることができる。
【００４７】
このため、サイドカバー３を取り付ける際に、サイドカバー３を移動させる距離（ストローク）がサイドカバー３の全長よりも短くなって作業性が向上して、サイドカバー３を箱本体２に容易に組付けることができる。したがって、電気接続箱１は、サイドカバー３を短い移動行程で容易に組付けることができる。
【００４８】
また、係合部２０，２１がサイドカバー３の前述した取り付け方向Ｔに沿って間隔をあけて設けられているので、箱本体２に取り付けられたサイドカバー３を該箱本体２に安定して保持することができる。このため、箱本体２に対してサイドカバー３が振動することを防止でき、異音が発生することを防止できる。
【００４９】
第１及び第２係合部２０，２１がサイドカバー３の縁から突出しているので、該サイドカバー３を確実にスライドさせて箱本体２に取り付けることができる。
【００５０】
第１係合部２０及び第１係合受け部１０に互いに係止する係止突起２３，１７が設けられているので、箱本体２に取り付けられたサイドカバー３を該箱本体２に確実に安定して保持することができる。したがって、箱本体２に対してサイドカバー３が振動することを防止でき、異音が発生することを防止できる。
【００５１】
本体部６内の空間を仕切る隔壁７の端７ａに連結梁４及び連結壁５が連なっている。このため、本体部６即ち箱本体２の剛性が向上して歪みにくくなるとともに、成型時などに本体部６即ち箱本体２が歪みにくくなる。このように、箱本体２が歪みにくくなるので、容易に電気部品を装着するカセットブロックを本体部６の隔壁７間に収容して箱本体２に取り付けることができる。
【００５２】
また、連結梁４及び連結壁５が隔壁７の端７ａに連なっているので、隔壁７同士を連結した連結梁４及び連結壁５を設けても、カセットブロックに何ら影響をあたえることがなく（カセットブロックの形状を何ら変更することなく）、該カセットブロックを互いの間に連結梁４及び連結壁５が掛け渡された隔壁７間に収容することができる。したがって、連結梁４及び連結壁５を設けていない従来から用いられてきた電気接続箱のカセットブロックをそのまま用いることができる。
【００５３】
さらに、係合溝１８の前述した取り付け方向Ｔの後方側の端部に開口部１９が設けられているので、該開口部１９を通して係合溝１８内に第２係合部２１の係合板２４を挿入することができる。したがって、凹み９内にサイドカバー３を容易に挿入することができる。
【００５４】
前述した実施形態では、連結部としての一つの連結梁４と、連結部としての一つの連結壁５とを設けている。しかしながら、本発明では、連結部としての連結梁４と連結部としての連結壁５とのうち少なくとも一方を、少なくとも一つ設ければ良い。要するに、本発明では、連結部を少なくとも一つ設ければ良い。
【００５５】
前述した実施形態では、第１係合部２０と第１係合受け部１０に互いに係止する係止突起２３，１７を設けている。しかしながら、本発明では、第２係合部２１と第２係合受け部１１に互いに係止する係止突起を設けても良く、第１係合部２０と第１係合受け部１０に互いに係止する係止突起２３，１７を設けかつ第２係合部２１と第２係合受け部１１に互いに係止する係止突起を設けても良い。第１係合部２０と第１係合受け部１０に互いに係止する係止突起２３，１７を設けなくても良く第２係合部２１と第２係合受け部１１に互いに係止する係止突起を設けなくても良い。
【００５６】
要するに、本発明では、係止突起２３，１７を設けなくても良く、設ける場合にも、第１係合部２０及び第１係合受け部１０と、第２係合部２１及び第２係合受け部１１とのうち少なくとも一方に設ければ良い。
【００５７】
また、本発明では、第１係合部２０及び第１係合受け部１０と、第２係合部２１及び第２係合受け部１１とを、それぞれ、如何なる形状及び構成としても良い。
【００５８】
さらに、前述した実施形態では、連結壁５に開口窓１２を複数設けているが、本発明では、連結壁５に開口窓１２を一つのみ設けても良い。要するに、本発明では、連結壁５に開口窓１２を少なくとも一つ設ければ良い。
【００５９】
なお、前述した実施形態は、本発明の代表的な形態を示したに過ぎず、本発明は、実施形態に限定されるものではない。即ち、本発明の骨子を逸脱しない範囲で種々変形して実施することができる。
【図面の簡単な説明】
【００６０】
【図１】本発明の一実施形態に係る電気接続箱を示す斜視図である。
【図２】図１に示された電気接続箱の正面図である。
【図３】図２中のＩＩＩ−ＩＩＩ線に沿う断面図である。
【図４】図１に示された電気接続箱を分解して示す斜視図である。
【符号の説明】
【００６１】
１  電気接続箱
２  箱本体
３  サイドカバー
９  凹み
１０  第１係合受け部
１１  第２係合受け部
１７  係止突起
２０  第１係合部
２１  第２係合部
２３  係止突起
Ｔ  取り付け方向（スライド方向）
【図１】
2007312494.tif 000003
【図２】
2007312494.tif 000004
【図３】
2007312494.tif 000005
【図４】
2007312494.tif 000006